(57)【要約】  【課題】    本発明の目的は、前記画像を高画素の画像を表示できるパソコンやテレビジョンなどの横長画面に表示して鑑賞するのに適した横長形状の画像を容易に撮影することができるカメラ付き携帯電話を提供することである。  【解決手段】  被写体の画像を撮影するカメラ部を有し、カメラモードに設定された時に前記カメラ部による撮影が可能であるカメラ付き携帯電話において、横位置の画像を撮影するように警告をする警告部を有することを特徴とするカメラ付き携帯電話とした。更に、カメラ付携帯電話の姿勢センサ、開閉センサを設け、前記各センサの信号に応じて前記警告の表示位置を変える。警告をする又はしない。【選択図】        図１１
2008010898.tif 000002
【特許請求の範囲】
【請求項１】
被写体の画像を撮影するカメラ部と撮影モード選択部とを有するカメラ付き携帯電話において、
前記撮影モード選択部が特定の撮影モードを選択した時に、横位置の画像を撮影するように警告をする警告部を有することを特徴とするカメラ付き携帯電話。
【請求項２】
前記特定の撮影モードにおいては高画素数の画像を撮影することを特徴とする請求項１に記載のカメラ付き携帯電話。
【請求項３】
前記カメラ部で撮影する画像を表示する表示部を更に有し、
前記警告として前記表示部に横長の矩形形状を表示することを特徴とする請求項１に記載のカメラ付き携帯電話。
【請求項４】
前記矩形形状は枠線または画像の形状で表示することを特徴とする請求項３に記載のカメラ付き携帯電話。
【請求項５】
テレビに表示する画像形状を設定する設定部を更に有し、
前記矩形形状は前記設定部に設定された画像形状であることを特徴とする請求項３又は請求項４に記載のカメラ付き携帯電話。
【請求項６】
前記カメラ部で撮影した画像を外部に出力する出力部を更に備え、
前記出力部は、前記カメラ付き携帯電話への所定の操作に応じて前記矩形形状の画像を外部に出力することを特徴とする請求項３から請求項５に記載のカメラ付き携帯電話。
【請求項７】
前記カメラ部で撮影した画像を記録する記録部を更に備え、
前記警告をして撮影された時、前記記録部は前記矩形形状の画像を記録することを特徴とする請求項３から請求項５に記載のカメラ付き携帯電話。
【請求項８】
前記カメラ部で撮影した画像を記録する記録部と、前記記録された画像を再生して前記表示部に表示する再生部とを更に備え、
前記警告をして撮影し記録された画像を再生する際、前記警告と同じ表示を表示することを特徴とする請求項３から請求項５に記載のカメラ付携帯電話。  
【請求項９】
前記カメラ付き携帯電話は、前記表示部が外部から見える第１の状態と前記表示部が外部から見えない第２の状態とにすることができ、
前記第１の状態と前記第２の状態で前記警告の状態が異なるようにすることを特徴とする請求項３に記載のカメラ付携帯電話。
【請求項１０】
前記第１の状態であるときに前記警告を行うことを特徴とする請求項９に記載のカメラ付き携帯電話。
【請求項１１】
前記第２の状態であるときには前記警告を行わないことを特徴とする請求項９に記載のカメラ付き携帯電話。
【請求項１２】
前記カメラ付き携帯電話は、前記表示部を有する第１の部分と前記カメラ部を有する第２の部分とからなり、前記第１の部分と前記第２の部分とは第１の軸により開閉可能に接続され、
前記第１の部分と前記第２の部分の開閉によって前記第１の状態又は前記第２の状態となることを特徴とする請求項９に記載のカメラ付き携帯電話。
【請求項１３】
前記第１の部分は、前記第１の軸に垂直な第２の軸を中心に、更に回転可能であり、
前記第１の部分と前記第２の部分の開閉と、前記第１の部分の回転とによって前記第１の状態又は前記第２の状態になることを特徴とする請求項１２に記載のカメラ付携帯電話。
【請求項１４】
前記第２の状態であるときに外部から見える位置に副表示部を更に備え、
前記第２の状態であるとき、前記副表示部に前記警告を行うことを特徴とする請求項９に記載のカメラ付携帯電話。
【請求項１５】
前記カメラ付き携帯電話の姿勢を検知する姿勢センサを更に有し、
前記姿勢センサが、前記カメラ付き携帯電話の姿勢が横位置の画像を撮影するのに適した姿勢でないことを検知したとき、前記警告をすることを特徴とする請求項３に記載のカメラ付き携帯電話。
【請求項１６】
前記カメラ付き携帯電話の姿勢を検知する姿勢センサを更に有し、前記選択部が前記特定の撮影モードを選択し、且つ、前記姿勢センサが横位置の画像を撮影するのに適した姿勢でないことを検知したとき時は、前記矩形形状の部分画像を撮影対象とすることを特徴とする請求項３に記載のカメラ付き携帯電話。
【請求項１７】
前記警告は、カメラ付き携帯電話を横にして撮影するよう指示する表示であることを特徴とする請求項１に記載のカメラ付き携帯電話。
【発明の詳細な説明】
【技術分野】
【０００１】
本発明はカメラ付携帯電話で撮影した画像を鑑賞するためのシステムに関し、特にカメラ付携帯電話で撮影した画像を外部機器のモニタに表示して鑑賞するための画像鑑賞システムに関する。
【背景技術】
【０００２】
カメラ付き携帯電話で撮影した画像は、そのカメラ付き携帯電話に設けられた表示部に表示して鑑賞する他、外部のパソコンに添付メールとして送信してパソコンの表示部に表示して鑑賞することができる。また、高画素数のカメラ付き携帯電話で撮影した画像をそのカメラ付き携帯電話が備える記録媒体記録部で記録媒体に記録し、該記録媒体からその画像をパソコンに読み込んで鑑賞することができる。更に、記録媒体読み取り部を備え、前記記録媒体から画像を読み込んで表示部に表示するテレビジョンも市販されている。
【特許文献１】特開２００２−１０２２７  特許文献１は以下の技術を開示している。少なくとも１台のテレビと画像取り込み装置およびテレビと通信することが可能なドッキングステーションとを備える画像閲覧システムであって、ドッキングステーションは上記テレビの動作を制御し、また上記画像取り込み装置から１つまたは複数の電子画像を受信する。当該ドッキングステーションは、当該電子画像を表示および閲覧のために上記テレビに送信する。あるいは、上記画像取り込み装置は、上記テレビを直接制御し、また電子画像および閲覧のために上記テレビに直接送信する。
【特許文献２】特開２００３−２４４２８９  特許文献２は以下の技術を開示している。携帯電話機の表示器の表示画像に対応する画像情報をテレビ受信機で再生可能にするデータに変換してテレビ受像機に送出する。テレビ受信機では、携帯電話から受信したデータをテレビ映像信号に加工して携帯電話機の表示器の表示画面に表示されている画像を同一の画像をテレビ受信機の表示画面に表示する。
【発明の開示】
【発明が解決しようとする課題】
【０００３】
カメラ付携帯電話で撮影される画像は、通常、縦長形状の画像である。カメラ付携帯電話でその画像を鑑賞する場合には縦長形状の画像で支障はないが、高画素の画像を表示できるパソコンやテレビジョンなどの横長画面に前記画像を表示して鑑賞する時には問題が生ずる。前記公知文献１、２には画像取得装置又は携帯電話による画像取得に関しては何ら触れられていない。
【０００４】
本発明の目的は、前記画像を前記パソコンやテレビジョンなどの横長画面に表示して鑑賞するのに適した横長形状の画像を容易に撮影することができるカメラ付き携帯電話を提供することである。
【課題を解決するための手段】
【０００５】
前記目的は下記のようにして達成することができる。
被写体の画像を撮影するカメラ部と撮影モード選択部とを有するカメラ付き携帯電話において、前記撮影モード選択部が特定の撮影モードを選択した時に、横位置の画像を撮影するように警告をする警告部を有するカメラ付き携帯電話とする。前記カメラ付き携帯電話は前記特定の撮影モードにおいて高画素数の画像を撮影する。
前記警告は以下のようにすることができる。
【０００６】
前記カメラ付き携帯電話は、前記カメラ部で撮影する画像を表示する表示部を更に有し、前記警告として前記表示部に横長の矩形形状を表示する。前記矩形形状は枠線または画像の形状で表示することができる。
【０００７】
前記カメラ付き携帯電話は、テレビに表示する画像形状を設定する設定部を更に有し、
前記矩形形状は前記設定部に設定された画像形状である。
前記カメラ付き携帯電話は、前記カメラ部で撮影した画像を外部に出力する出力部を更に備え、前記出力部は、前記カメラ付き携帯電話への所定の操作に応じて前記矩形形状の画像を外部に出力する。
【０００８】
前記カメラ付き携帯電話は、前記カメラ部で撮影した画像を記録する記録部を更に備え、前記警告をして撮影された時、前記記録部は前記矩形形状の画像を記録する。
前記カメラ付き携帯電話は、前記カメラ部で撮影した画像を記録する記録部と、前記記録された画像を再生して前記表示部に表示する再生部とを更に備え、前記警告をして撮影し記録された画像を再生する際、前記警告と同じ表示を表示する。  
前記カメラ付き携帯電話は、前記表示部が外部から見える第１の状態と前記表示部が外部から見えない第２の状態とにすることができ、前記第１の状態と前記第２の状態で前記警告の状態が異なるようにする。そして、前記第１の状態であるときに前記警告を行い、前記第２の状態であるときには前記警告を行わない。
【０００９】
前記カメラ付き携帯電話は、前記表示部を有する第１の部分と前記カメラ部を有する第２の部分とからなり、前記第１の部分と前記第２の部分とは第１の軸により開閉可能に接続され、前記第１の部分と前記第２の部分の開閉によって前記第１の状態又は前記第２の状態となる。前記第１の部分は、前記第１の軸に垂直な第２の軸を中心に、更に回転可能であり、前記第１の部分と前記第２の部分の開閉と、前記第１の部分の回転とによって前記第１の状態又は前記第２の状態になる。
【００１０】
前記カメラ付き携帯電話は前記第２の状態であるときに外部から見える位置に副表示部を更に備え、前記第２の状態であるとき、前記副表示部に前記警告を行う。
前記カメラ付き携帯電話は、前記カメラ付き携帯電話の姿勢を検知する姿勢センサを更に有し、前記姿勢センサが、前記カメラ付き携帯電話の姿勢が横位置の画像を撮影するのに適した姿勢でないことを検知したとき、前記警告をする。
【００１１】
前記カメラ付き携帯電話は、前記カメラ付き携帯電話の姿勢を検知する姿勢センサを更に有し、前記選択部が前記特定の撮影モードを選択し、且つ、前記姿勢センサが横位置の画像を撮影するのに適した姿勢でないことを検知したとき時は、前記矩形形状の部分画像を撮影対象とする。
【００１２】
前記警告は、前記カメラ付き携帯電話はカメラ付き携帯電話を横にして撮影するよう指示する表示をすることもできる。
【発明の効果】
【００１３】
本発明によれば、テレビの表示画面の形状に合わせた形状の画像を容易に撮影することができる。その結果、撮影した画像全体がテレビの表示画面一杯に表示される。
【発明を実施するための最良の形態】
【００１４】
図１は本発明の第１の実施の形態のシステムの概念を示す図である。
本実施の形態のシステムは、カメラ付携帯電話１００とストレージ装置２００とテレビジョン３００とで構成される。携帯電話１００は市販されているカメラ付携帯電話の一部機能を追加したものであり、基本的には市販のカメラ付携帯電話と同様の構成・機能を有する。
【００１５】
カメラ付携帯電話１００はブルートゥースによるブルートゥース通信機能と、赤外線による赤外通信機能とを有する。ストレージ装置２００はブルートゥース通信機能を備え、これによってカメラ付携帯電話１００と通信可能である。また、ストレージ装置２００はテレビ３００の外部信号入力部と接続されている。テレビ３００はリモコン信号を受信する赤外通信機能を備えておりカメラ付携帯電話１００とも通信可能である。これによって、テレビ３００は入力信号をカメラ付携帯電話３００から外部入力信号に切り替える入力切換信号を受信する。
【００１６】
カメラ付携帯電話１００は自身で撮影した画像や他のカメラ付携帯電話などから入手した画像を記録し再生表示する。再生表示した状態でカメラ付携帯電話１００に所定の操作を行うと、再生表示中の画像がブルートゥース通信によってストレージ装置２００に送信される。ストレージ装置２００は前記画像に所定の処理を施してテレビ３００に送出する。前記所定の処理は、例えば前記画像をテレビ３００により美しく表示される画像とするための処理である。
テレビ３００は自身を外部入力信号を表示する外部信号表示モードにすると共に前記受けた画像を表示し鑑賞に供する。テレビ３００を外部入力表示モードとする表示切替信号はカメラ付携帯電話１００から所定のタイミングで出力される。
【００１７】
各部を詳細に説明する。
図２はカメラ付携帯電話１００の概略構成を示したブロック図、図３はカメラ付携帯電話１００の外観を示した図である。カメラ付携帯電話１００は第１の部分１０１と第２の部分１０２とからなり、第１の部分１０１と第２の部分１０２とは回転軸１０３によって開閉可能な構造である。図２、図３を参照してカメラ付携帯電話１００を説明する。図２、図３において同一の構成には同一の符号を付した。なお、カメラ付携帯電話１００の構成のうち、本発明に関係する部分を主として説明する。
【００１８】
１１０は２００万から３００万画素の撮像素子や撮影レンズなどからなる撮影ユニット１１１を含むカメラ部である。１４０は記録部であり、カメラ部１１０で撮影された画像を記録し保存する。１２０は表示部であり、カメラ部１１０からの画像又は記録部１４０に記録された画像が表示される。表示部１２０は第１の部分１０１に設けられている。カメラ部１１０及び操作部１３０は第２の部分１０２に設けられている。カメラユニット１１１の撮影レンズ１１２は第２の部分１０２の外側に、操作部１３０は第２の部分１０２の外側に設けられている。即ち、撮影レンズ１１２は操作部１３０の裏側に設けられている。なお、１０５は通話などを行う携帯電話機能部である。
【００１９】
図４（Ａ）は図３の状態のカメラ付携帯電話１００を閉じて全体を反転させた状態の外観図である。この状態では表示部１２０は折り畳んだ内側となり見ることができない。代わりに表示部１２０の裏面に設けられた副表示部１２５が見える。前記第１の部分１０１は図３の左右方向に１８０度回転させることが可能である。図４（Ｂ）は前記第１の部分を左右方向に１８０度回転させて閉じた状態の外観図である。この状態では表示部１２０は外側となり見ることができる。
【００２０】
表示部１２０はカメラ付携帯電話の各種機能を使用する際のメニューも表示する。１３０は操作部であり、テンキー１３１を含む押しボタンスイッチや十字キー１３２、送信ボタン１３３等で構成されている。１５０は赤外通信部、１６０はブルーツース通信部であり、共に外部の対応通信部と通信を行う。ブルーツース通信部１６０はカメラ部１１０で撮影した画像を送信する。赤外通信部１５０はテレビ３００を制御する信号を送信する。この機能により、カメラ付携帯電話１００でテレビ３００の視聴チャンネル切換などのテレビ操作が可能である。更に、表示画像を通常のテレビ放送から外部入力信号に基づく画像に切換えることも可能である。
【００２１】
１８０はカメラ付き携帯電話１００の開閉状態を検出する開閉センサ、１８５は第１の部分１０１の回転状態即ち表示部１２０が内向き（図３の状態）であるか外向き図４（Ｂ）の状態であるかを検出する回転センサである。開閉センサ１８０及び回転センサ１８５の検出結果に応じた表示が表示部１２０に表示される。例えば、回転センサ１８５の検出結果により表示部１２０への表示方向が変化する。開閉センサ１８０がカメラ付き携帯電話１００が閉じた状態を検出し且つ回転センサ１８５が表示部１２０が内向きであることを検出した場合には表示部１２０への表示はＯＦＦとされる。１９０はカメラ付き携帯電話の姿勢が縦位置であるか、横位置であるかを検出する姿勢センサである。
前記各部は制御部１７０に接続されている。制御部１７０は前記各部による処理を制御する。
【００２２】
図５はストレージ装置２００の概略構成を示したブロック図である。ストレージ装置２００は、ブルーツース通信部２１０、ストレージ部２２０、画像処理部２３０、信号変換処理部２４０、画像信号出力部２５０、インターネット接続部２６０等からなる。前記各部は制御部２７０に接続されている。制御部２７０は前記各部による処理を制御する。ストレージ装置２００は、ブルーツース通信部２１０によりカメラ付携帯電話１００からの画像を受信し、画像処理部２３０で所定の画像処理を加えた上で信号変換処理部２４０に入力すると共にストレージ部２２０に記録する。
【００２３】
また、ストレージ部２２０は、記録した画像をテレビ３００に出力するよう求める画像要求に応じて要求された画像を信号変換処理部２４０に出力する。信号変換処理部２４０は、入力された画像の信号をテレビ３００での表示用のアナログＡＶ信号、又はデジタルのＤ１信号又はＤ４信号に変換してＡＶ端子、Ｄ１端子、Ｄ４端子を有する画像信号出力部２５０のいずれかの端子を介してテレビ３００に出力する。
【００２４】
図６は高精細・大画面テレビ３００の概略構成を示したブロック図である。テレビ３００は市販の高精細・大画面テレビ、例えばハイビジョン放送対応のＨＤ（High Definition）テレビであり、電源スイッチ３０１、テレビ放送の電波を受信しテレビ信号に変換する放送受信部３１０、ＤＶＤ装置、ＶＴＲ装置などの外部装置からの信号が入力されるＡＶ端子、Ｄ１端子、Ｄ４端子を有する外部信号入力部３２０、テレビ放送や外部装置からの画像を表示する表示部３３０、表示部３３０への表示をテレビ放送画像と外部装置からの画像とで切り替える入力切換部３４０、入力切換部３４０からの画像に基づいて表示部３３０に画像表示信号を出力する表示処理部３４５、赤外通信部３５０などを備える。前記各部は制御部３７０に接続されている。制御部３７０は前記各部による処理を制御する。
赤外通信部３５０はテレビに付属のリモートコントローラから視聴チャンネルの切換、音量調節、入力切換部３４０による表示画像の切換などのテレビ制御信号を受信する。
【００２５】
外部信号入力部３２０とストレージ装置２００の外部信号入力部２５０との間はＡＶケーブル、Ｄ１ケーブル又はＤ４ケーブルによって接続され、ストレージ装置２００からの画像信号が入力される。そして、入力切換部３４０が表示画像を外部入力信号に基づく画像に切り換えたとき、ストレージ装置２００からの前記画像がテレビ３００に表示される。携帯電話１００は赤外通信部１５０から入力切換部３４０に表示部３３０への表示画像をストレージ装置２００からの画像に切り換えさせる入力切替信号を出力する。即ち、カメラ付携帯電話１００によりストレージ装置２００からの画像をテレビ３００に表示させることができる。逆に、ストレージ装置２００からの画像を表示した状態からテレビ放送の表示に戻すこともできる。
【００２６】
図７は図１のシステムによるカメラ付携帯電話１００による画像撮影から該撮影画像がテレビに表示されるまでの操作及び処理の手順の概要を示す図である。なお、同図の右側に主として処理を担当する機器を示したが、その機器のみで処理することを示すものではなく他の機器と協動して行う処理もある。
【００２７】
図７のステップＳ１では、操作者がカメラ付携帯電話１００で被写体を撮影する。撮影された画像は一時記憶メモリに記憶され、必要に応じてなされる保存操作に応じて記録部１４０に記録される。この操作は通常、操作者が外出先で行うものである。
【００２８】
以降のステップは操作者が帰宅して後、テレビ３００の前で行う操作であり、ステップＳ３からステップＳ７は、実際には一つの操作に応じて自動的に、極めて短時間（瞬時若しくは数秒以内）に行われる。なお、ステップＳ１からステップＳ２の間に数日の隔たりがある場合もある。いずれにしても、ステップＳ２以降は操作者が過去に撮影した画像を今すぐにテレビ画面で見たいという欲求を起こすまでは実行されることはない。
【００２９】
さて、ステップＳ２では、記録部１４０に記録された画像を再生し、操作者がテレビで見たい一つの画像を表示部１２０に表示させる。
ステップＳ３では、操作者が撮影画像をストレージ装置２００に送信する操作をする。この操作は所定の押しボタンを押すなどの単一の操作である。このステップＳ３では、カメラ付携帯電話１００は、選択された画像とこれに関連する関連情報とを記録部１４０から読み出してブルーツース通信部１６０を用いてストレージ装置２００に送信する。
【００３０】
ステップＳ４では、ストレージ装置２００がブルーツース通信部２１０で前記画像と前記関連情報を受信する。
ステップＳ５では、画像処理部２３０が前記画像に対し所定の画像処理を加える。前記所定の画像処理はカメラ付携帯電話１００で撮影した画像をテレビ３００に表示するのに適した画像とするための処理である。なお、画像データ以外の情報はブルートゥース通信部２１０から直接ストレージ部２２０に入力される。
【００３１】
ステップＳ６では、前記処理画像に基づく画像信号を画像信号出力部２５０を介して高精細テレビ３００の外部信号入力部３２０に入力する。
ステップＳ７では、カメラ付携帯電話１００の赤外通信部１３０からの入力切換信号をテレビ３００の赤外通信部３５０が受信する。これによって、テレビ３００は通常のテレビ放送表示モードから外部信号表示モードに切り替わる。なお、カメラ付き携帯電話１００はストレージ装置２００から画像処理部２３０による画像処理が完了したことを示す信号を受けて前記入力切替信号を出力する。又は画像処理部２３０による画像処理が完了したと推定できる時に前記入力切替信号を出力する。
【００３２】
ステップＳ８では、テレビ３００が、外部信号入力部３２０に入力された画像信号に基づいて前記処理済み画像を表示部３３０に表示する。
以上の手順により、カメラ付携帯電話１００に対する単一の操作のみで、カメラ付携帯電話１００のカメラ部１１０で撮影した画像が、より美しい画像として高精細テレビ３００に表示される。大型の高精細テレビに表示するので、カメラ部１１０の高画素数の効果が有効に発揮される。
【００３３】
ステップＳ６からステップＳ８と平行してステップＳ６１の処理が行われる。ステップＳ６１では、前記画像処理を加えた処理済み画像をストレージ部２２０に記録する。
--撮影--
図７のステップＳ１を詳細に説明する。
カメラ付携帯電話１００は所定の操作をすることにより、カメラモードに入る。カメラモードに入った直後は通常、カメラ部１１０によってカメラ付携帯電話１００の表示部１２０に表示したり、他のカメラ付携帯電話に送信したりするのに適したデータ量の画像サイズで被写体を撮影することが可能な状態（撮影モード）となっている。前記撮影モードで撮影した画像は低画素数で解像度が低いのでテレビのような大画面表示装置での鑑賞には適していない。
【００３４】
前記撮影モードにおいて、更に所定の操作をすると、撮影に関する種々の設定や撮影した画像の取り扱いに関する種々の設定をすることができる。例えば、撮影画像の画像サイズや画質を設定したり、連写やブラケット連写を設定することができる。また、撮影してカメラ付携帯電話内部の記録部に記録した画像を表示部１２０に再生表示させて鑑賞することができる。前記各種設定はその設定を行う処理の実行を指示する機能が割り付けられたカメラ付携帯電話１００の各操作ボタン、例えば数字キーなどを押すことによって実行される。操作方法の詳細や機能は市販されているカメラ付携帯電話で周知であるので説明を省略する。
【００３５】
テレビのような大画面表示装置での鑑賞に適した解像力の高い画像を撮影するためには、前記画像サイズの設定において高画素数の画像サイズに設定すれば良い。前記高画素数の画像サイズで撮影した画像を図７のステップＳ２以降の対象としても良いが、高精細・大画面テレビでの鑑賞に、より好適な状態で撮影した画像を用いることが好ましい。前記各種設定の一つにこのような撮影を支援するための設定機能がある。以下、その機能を用いた場合の撮影について説明する。
【００３６】
所定の操作をすると前記設定を行うためのメニュー（図８）が表示部１２０に表示される。前記設定を終了すると撮影可能な状態に戻る。前記テレビ鑑賞に適した画像を撮影するための設定がなされた撮影可能な状態をＴＶ画像撮影モードという。
【００３７】
図８のメニューは、テレビに表示する画像の形状を設定するためのものである。
「１．標準形状」を選択するとアスペクト比３：４の画像サイズが設定される。
「２．ハイビジョン形状」を選択するとアスペクト比９：１６の画像サイズが設定される。
【００３８】
前記のいずれかを選択すると図８のメニューによる設定を終了してＴＶ画像撮影モードでの撮影が可能となる。ＴＶ画像撮影モードでは、警告部１７５が撮影画像を高精細・大画面テレビでの鑑賞に好適な状態で撮影するように警告を表示する。
例えば、カメラ付携帯電話１００の表示部１２０にカメラ付携帯電話１００を撮影画像が横長画像（横画像）となる姿勢とするように警告する表示を行う。横長であるテレビの表示部を有効に使用するため、及び撮像部１１１の撮像素子の解像度を有効に用いるためである。
【００３９】
図３に示したようにカメラ付携帯電話１００の外形は長方形であり、表示部１２０も長方形で両者の長手方向は同一方向である。カメラ部１１０で撮影した撮影画像も長方形であるが、その長手方向も同一方向である場合が多い。その場合、カメラ付携帯電話１００を横にして横画像を撮影することが好ましい。撮像部１１１の撮像素子のアスペクト比は３：４かそれに近い値であるので、撮影した横画像全体がテレビの表示部一杯に表示される。
そこで、「携帯電話を横にして撮影して下さい」という警告をカメラ付き携帯電話１００に表示する。開閉センサ１８０がカメラ付き携帯電話１００が閉じた状態であることを検知し且つ回転センサ１８５が表示部１２０が内向きであることを検知した場合には表示部１２０が外部から見えないので副表示部１２５に表示する。図９にカメラ付き携帯電話１００を閉じて且つ横にして撮影する場合のカメラ付き携帯電話１００の保持状態を示す。
【００４０】
前記警告は、開閉センサ１８０がカメラ付き携帯電話１００が開いた状態であることを検知した場合は表示部１２０に表示する。しかしながら、カメラ付き携帯電話１００を開いて撮影する場合には、カメラ付き携帯電話１００を図３のように縦姿勢にして撮影する場合が多い。その場合には縦位置の画像が撮影される。
そこで、以下のような警告としても良い。カメラ付き携帯電話１００が有している開閉センサ１８０がカメラ付き携帯電話１００が開いた状態であることを検知した場合は、図１０に示すように表示部１２０に図８のメニューで設定された表示画像の形状を示す枠線１２１をその長手方向を横方向にして表示する。前記枠線１２１の形状は図８のメニューにおいて選択したアスペクト比の長方形である。枠線１２１は表示部１２０に表示している画像のうち、テレビ３００に表示される範囲を示している。なお、実際に撮影される画像は通常の撮影モードでの撮影画像と同じである。但し、ＨＤテレビの解像力を十分に活用するためには撮像部１１１がより高画素であることが求められる。カメラ付携帯電話の高画素化のスピードから推測すれば近い将来実現されるものと思われる。
【００４１】
前記警告の別の方法として、枠線１２１を表示することに代えて、表示部１２０に表示する画像を枠内１２１内の画像としても良い。また、いずれの場合も記録部１４０に記録する画像も前記枠１２１内の画像としても良い。なお、前記枠線１２１の撮影画像中における位置や形状は前記画像の関連情報の一つである。
【００４２】
カメラ付携帯電話が前記第１の部分を回転することができない構造である場合には、表示部１２０への警告は開閉センサ１８０がカメラ付携帯電話が開状態であることを検出した場合にのみするようにすれば良い。
【００４３】
いずれの場合にも、姿勢センサ１９０の出力がカメラ付携帯電話の姿勢が横位置であることを示すものである時は前記警告表示をせず、縦位置であることを示すものである時のみ前記警告表示を行うようにしても良い。
【００４４】
操作者は、表示部１２０や副表示部１２５に表示されるメッセージや表示部１２０に表示される枠線１２１などの警告にしたがって被写体を撮影する。ＴＶ画像撮影モードにおいてカメラモードに入るための所定の操作がなされるとカメラ付携帯電話１００はＴＶ画像撮影モードを終了して通常の撮影モードとなる。また、カメラ付携帯電話１００の他の機能を動作させるなど、カメラモードを終了させる操作がなされたときにはＴＶ画像撮影モードを終了した上でカメラモードを終了する。
以下、図１１を参照しながらＴＶ画像撮影モードの処理の手順の一例を説明する。
ＴＶ画像撮影モードの機能を用いるための所定の操作をすることにより図１１に示すが開始される。
ステップＳ１１では、表示部１２０に図８のメニューを表示してテレビに表示する画像の形状を選択させる。
【００４５】
ステップＳ１２では、姿勢センサ１９０の出力によってカメラ付携帯電話１００が横位置か縦位置かを判定する。横位置であればステップＳ１３に、縦位置であればステップＳ１５に進む。
【００４６】
ステップＳ１３では、開閉センサの出力によってカメラ付携帯電話１００が開いた状態にあるか、閉じた状態にあるかを判定する。開いた状態であればステップＳ１４に、閉じた状態であればステップＳ１４１に進む。
【００４７】
ステップＳ１４では、表示部１２０に「携帯電話を横にして撮影して下さい」と表示する。或いは表示部１２０にステップＳ１で選択された画像形状を示す枠線１２１を表示する。
【００４８】
ステップＳ１４１では、回転センサ１８５の出力により表示部１２０が内向きか外向きかを判断し、内向きであればステップＳ１４２に進み、外向きであればステップ１５に進む。
【００４９】
ステップＳ１４２では、副表示部１２５に「携帯電話を横にして撮影して下さい」と表示してステップＳ１５に進む。
ステップＳ１５では、操作者の撮影操作に応じて被写体を撮影し記録部１４０に記録する。
【００５０】
ステップＳ１６では、ＴＶ画像撮影モードを終了させる操作がなされたかを判定し、されていればステップＳ１７に進み、されていなければステップＳ１５に戻り更に撮影を続ける。
【００５１】
ステップＳ１７では、ＴＶ画像撮影モードを終了して処理を終える。
なお、ステップＳ１１の処理は適宜省略しても良い。その場合には「携帯電話を横にして撮影して下さい」のメッセージによる警告のみが行われる。または、予め決められた表示画像形状による警告が行われる。また、ステップＳ１２、ステップＳ１３も夫々適宜省略しても良い。その場合にはカメラ付携帯電話１００の姿勢や開閉状態に関わらず警告が行われる。
【００５２】
更に、ステップＳ１２で、カメラ付携帯電話１００が横位置であると判定された場合、ステップＳ１１で選択された表示画像の形状が通常形状かハイビジョン形状かを判断し、通常形状であればステップＳ１５に進み、ハイビジョン形状であればステップＳ１４に進むようにしても良い。その場合、ステップＳ１４では長手方向を横方向とするハイビジョン形状の枠線を表示部１２０に表示する。
【００５３】
図７のステップＳ７において、上記のようにして撮影し記録された画像から操作者がテレビで見たいと思う画像が選択のために表示部１２０に再生表示される。その際、前記警告として表示された枠線が再生画像上に表示される。これによって、その画像をテレビで鑑賞した場合にテレビに表示される画像の範囲を予め確認することができる。
【図面の簡単な説明】
【００５４】
【図１】第１の実施の形態のシステムの概念を示す図である。
【図２】カメラ付携帯電話の構成を示したブロック図である。
【図３】カメラ付携帯電話の外観を示した図である。
【図４】（Ａ）カメラ付携帯電話を折り畳んだ状態の外観図である。        （Ｂ）カメラ付携帯電話を折り畳んだ別の状態の外観図である。
【図５】ストレージ装置の構成を示したブロック図である。
【図６】高精細・大画面テレビの構成を示したブロック図である。
【図７】図１のシステムによる操作及び処理の手順の概要を示す図である。
【図８】テレビに表示する画像の形状を設定するためのメニュー画面である。
【図９】カメラ付き携帯電話を閉じて且つ横にして撮影する場合の保持状態を示す図である。
【図１０】テレビへの表示画像の形状を示す枠線を表示部に表示したカメラ付き携帯電話を示す図である。
【図１１】ＴＶ画像撮影モードの処理の流れの一例を示す図である。
【符号の説明】
【００５５】
１００……カメラ付き携帯電話
１１０……カメラ部
１２０……表示部
１３０……操作部
１４０……記録部
１５０……赤外通信部
１６０……ブルートゥース通信部
１７０……制御部
１７５……警告部
１８０……開閉センサ
１８５……回転センサ
１９０……姿勢センサ
２００……ストレージ装置
２１０……ブルートゥース通信部
２２０……ストレージ部
２３０……画像処理部
２４０……信号変換処理部
２５０……画像信号出力部
２６０……インターネット接続部
２７０……制御部
２８０……赤外通信部
３００……高精細・大画面テレビジョン
３１０……ＴＶ放送受信部
３２０……外部信号入力部
３３０……表示部
３４０……入力切換部
３５０……赤外通信部
３７０……制御部
【図１】
2008010898.tif 000003
【図２】
2008010898.tif 000004
【図３】
2008010898.tif 000005
【図４】
2008010898.tif 000006
【図５】
2008010898.tif 000007
【図６】
2008010898.tif 000008
【図７】
2008010898.tif 000009
【図８】
2008010898.tif 000010
【図９】
2008010898.tif 000011
【図１０】
2008010898.tif 000012
【図１１】
2008010898.tif 000013